(57)【要約】      （修正有）【課題】従来よりも簡易な構成で誤動作を防止する電子機器を提供する。【解決手段】カメラシステム１００において、使用者の指の接触を検知し、検知した指の特徴を検出し、指の接触情報および指の特徴を含む指紋情報を出力する接触部１５と、接触情報を用いて出力された指紋情報が登録されているかどうかの判断を行い、指紋が登録されていた場合、指紋情報に応じた制御情報を出力し、その制御を開始するレンズマイコン１４と、を備える。【選択図】図１
2019090950.tif 000002
【特許請求の範囲】
【請求項１】
使用者の指の接触を検知し、前記検知した指の特徴を検出し、前記指の接触情報および前記指の特徴を含む指紋情報を出力する接触部と、
前記接触情報を用いて、前記指紋情報に応じた制御情報を出力するか否かを判断する制御部と、を備える、
ことを特徴とする電子機器。
【請求項２】
前記接触部は１つのセンサであることを特徴とする、請求項１に記載の電子機器。
【請求項３】
前記接触情報に対応する指と前記制御情報に対応する指は同じであることを特徴とする請求項１または２に記載の電子機器。
【請求項４】
前記接触情報は、前記指が前記接触部に接触する回数、接触する方向、接触する時間、接触する位置、または接触する圧力のいずれかを含むことを特徴とする請求項１乃至３のいずれか１項に記載の電子機器。
【請求項５】
前記電子機器は、レンズと、前記レンズの光軸回りに回動することで撮影条件を調節する調節部とを有するレンズ装置であることを特徴とする請求項１乃至４のいずれか１項に記載の電子機器。
【請求項６】
前記制御部は、前記調節部が回動していない場合に前記制御情報を出力すると判断し、前記操作部が回動している場合に前記指の接触情報を用いて前記指紋情報に応じた制御情報を出力するか否かを判断することを特徴とする請求項５に記載の電子機器。
【請求項７】
前記電子機器は、シャッタースイッチを備えたカメラ本体およびレンズ装置を含むカメラシステムであることを特徴とする請求項１乃至４のいずれか１項に記載の電子機器。
【請求項８】
前記レンズ装置は、レンズと、前記レンズの光軸回りに回動することで撮影条件を調節する調節部とを有し、
前記制御部は、前記調節部が回動していない場合に前記制御情報を出力すると判断し、前記操作部が回動している場合に前記指の接触情報を用いて前記指紋情報に応じた制御情報を出力するか否かを判断することを特徴とする請求項７に記載の電子機器。
【請求項９】
前記制御部は、前記シャッタースイッチが半押し状態の場合に前記指の接触情報を用いて前記指紋情報に応じた制御情報を出力するか否かを判断することを特徴とする請求項７または８に記載の電子機器。
【請求項１０】
前記センサが前記カメラ本体または前記レンズ装置に設けられることを特徴とする請求項７乃至９のいずれか１項に記載の電子機器。
【発明の詳細な説明】
【技術分野】
【０００１】
本発明は、レンズ装置およびカメラシステムなどの電子機器に関する。
【背景技術】
【０００２】
指紋認証の結果に応じて複数の機能を実行可能なカメラやレンズ鏡筒などの電子機器がある。このような電子機器では、センサにより指紋認証が実行されるが、使用者が意図せずセンサに指を接触させてしまうと誤動作が起こりうる。
【０００３】
特許文献１に記載されたレンズ鏡筒は、使用者が複数のセンサの両方に触れながら操作を行った場合のみ特定の機能を実行させることで誤動作の発生を抑制している。
【先行技術文献】
【特許文献】
【０００４】
【特許文献１】特開２００９−１６９２６６号公報
【発明の概要】
【発明が解決しようとする課題】
【０００５】
しかしながら、特許文献１の鏡筒では、複数のセンサを設ける必要があるために構成が複雑となりうる。
【０００６】
本発明は、従来よりも簡易な構成で誤動作の発生を抑制する電子機器を提供することを目的とする。
【課題を解決するための手段】
【０００７】
上記課題を解決するために、本発明の電子機器は、使用者の指の接触を検知し、検知した指の特徴を検出し、指の接触情報および指の特徴を含む指紋情報を出力する接触部と、接触情報を用いて、指紋情報に応じた制御情報を出力するか否かを判断する制御部と、を備える、ことを特徴とする。
【発明の効果】
【０００８】
本発明によれば、従来よりも簡易な構成で誤動作の発生を抑制する電子機器を提供することができる。
【図面の簡単な説明】
【０００９】
【図１】第１実施形態に係る電子機器である交換レンズを含むカメラシステムの構成を示すブロック図である。
【図２】第１実施形態に係るレンズマイコンの構成を示すブロック図である。
【図３】第１実施形態に係るレンズ装置の外観図である。
【図４】第１実施形態に係るカメラシステムの外観図である。
【図５】第１実施形態に係る指紋情報に応じた制御を示すフローチャートである。
【図６】第２実施形態に係る指紋情報に応じた制御を示すフローチャートである。
【図７】第３実施形態に係る指紋情報に応じた制御を示すフローチャートである。
【図８】第３実施形態に係る指紋情報に応じた制御を示すフローチャートである。
【発明を実施するための形態】
【００１０】
以下、本発明を実施するための形態について図面などを参照して説明する。
（第１実施形態）
【００１１】
図１は、第１実施形態に係る電子機器としてのレンズ装置を含むカメラシステムの構成を示すブロック図である。カメラシステム１００は、レンズ装置１と、レンズ装置１が取り外し可能に装着されたカメラ本体２と、を含む。
【００１２】
レンズ装置１は、１枚もしくは複数のレンズＬ１を有する。また、レンズ装置１は、照明部１０と、駆動部１１と、を有する。照明部１０は、照明光を発する。駆動部１１は、レンズＬ１に含まれうる、フォーカス状態を変化させるフォーカスレンズや変倍を行う変倍レンズを、モータにより駆動する。
【００１３】
さらに、レンズ装置１は、絞り１２と、光学防振ユニット１３と、レンズマイコン１４とを有する。絞り１２は、光量を調節する。光学防振ユニット１３は、撮影時の手ブレを補正する。レンズマイコン１４は、照明部１０、駆動部１１、絞り１２および光学防振ユニット１３を制御するＭＰＵ（Ｍｉｃｒｏ  Ｐｒｏｃｅｓｓｉｎｇ  Ｕｎｉｔ）等のマイクロコンピュータである。レンズマイコン１４の詳細については、後述する。
【００１４】
なお、レンズ装置１は、必ずしも照明部１０、駆動部１１、絞り１５および光学防振ユニット１３を全て有する必要はなく、また別の構成要素を有していてもよい。
【００１５】
以下の説明では、照明部１０、駆動部１１、絞り１５および光学防振ユニット１３のうち少なくとも１つを動作させ、もしくは制御を変更することによってレンズ装置１の状態を変更することを、撮影条件を調節するという。
【００１６】
さらに、レンズ装置１は、接触部１５と、操作リング１６と、を有する。接触部１５は、使用者の指の接触を検知する。接触部１５は、１つのセンサであって、公知のものでよく詳細は省略するが、例えば、保護膜と無数の電極からなっており、指を押し当てたときの電荷の量を取得することで指紋の凹凸を判断する指紋センサである。指紋センサとしてはこれに限定されず、光学的に指紋を読み取る方式や指を押し当てるのではなくスライドさせることで指紋を読み取る方式でも良い。また、指紋センサに限定されず静脈により各指を判別するセンサ等を設けても良い。
【００１７】
接触部１５は、接触した使用者の指の指紋等の特徴を検出して指紋情報を生成する。また、接触部１５は、後述する接触情報も生成する。接触部１５は、レンズマイコン１４へ、指紋情報および接触情報を出力する。
【００１８】
図２は、第１実施形態に係るレンズマイコン１４の構成を示すブロック図である。レンズマイコン１４は、記憶部１４１および制御部１４２を含みうる。記憶部１４１は、指紋情報に応じた制御情報を記憶する。制御部１４２は、接触部１５から出力された指紋情報と記憶されている指紋情報の一致度を算出し、検出した指紋情報の一致度が認証閾値以上の場合はその指紋情報に応じた制御情報を出力し、レンズ装置の各部を駆動させる。
【００１９】
図１にもどり、操作リング１６は、レンズ装置１の光軸に対して回動することで撮影条件を調節する調節部である。操作リング１６が操作中であるか否かおよびその操作量（移動量）は、検出部１７により検出される。なお、操作リング１６の移動量の検出方法は公知のものでよい。レンズ装置１はカメラ本体２との接続部としてのレンズ側マウント１８と、カメラ本体との通信部としてのレンズ側端子１９を有している。
【００２０】
カメラ本体２はカメラマイコン２１と撮像素子２２が設けられている。カメラシステム１００はレンズＬ１、絞り１２、光学防振ユニット１３を通した光を撮像素子２２により得ることで画像を得ることができる。
【００２１】
カメラマイコン２１はカメラ本体２側の設定として撮像素子のＩＳＯ感度やホワイトバランス、シャッター速度等の撮影条件を制御している。また、カメラマイコン２１は、レンズ側端子１９とカメラ側端子２３を通じて、レンズマイコン１４と通信可能に接続されている。ただし、レンズマイコン１４とカメラマイコン２１は、必ずしも別体である必要はなくレンズ側端子１９、カメラ側端子２３を通すことなく一つのＭＰＵであっても良い。
【００２２】
図３は、第１実施形態に係るレンズ装置の外観図である。レンズ装置１は、前述のカメラ本体２との接続部としてのレンズ側マウント１８とカメラ本体２との通信部としてのレンズ側端子１９とを有する。また、レンズ装置１は、鏡筒部３１の外周に、レンズ装置１の光軸Ｏに対して回動可能な操作リング１６を有する。さらに、レンズ装置１は、鏡筒部３１の外周であって、操作リング１６とレンズ側マウント１８との間に、前述した接触部１５を有する。
【００２３】
レンズ装置１内では、前述したようにフォーカスレンズが駆動部１１のモータにより駆動可能であり、オートフォーカス（ＡＦ）時には該モータによりフォーカスレンズが駆動される。一方、マニュアルフォーカス（ＭＦ）時には、レンズ装置１の外周に設けられた操作リング１６が光軸Ｏに対して回転操作されることで、フォーカスレンズが移動する。上述の通り、操作リング１６の移動量は、検出部１７により検出され、その移動量に応じてフォーカスレンズを駆動する。このように、レンズ装置１は、ＡＦとＭＦの切り替え制御（以下、ＡＦ／ＭＦ切り替え制御という）が可能である。
【００２４】
また、操作リング１６はズームリングであっても良い。ズームリングは不図示のズームレンズ群を保持するカム環と連結されており、撮影者のズームリングの操作に連動してズームレンズ群の駆動を行いレンズＬ１の焦点距離の変更を行う。
【００２５】
さらに、レンズ装置１は、前述した光学防振ユニットを有し、該光学防振ユニットの防
振動作のＯＮとＯＦＦを切り替える制御（以下、防振ＯＮ／ＯＦＦ制御という）も可能である。
【００２６】
レンズ装置１は、そのレンズ鏡筒の前端部に前述した照明部１０としてのＬＥＤが複数設けられている。照明部１０は、マクロ撮像を行う際に発光して被写体を照明する。レンズ装置１は、照明部１０の発光と消灯を切り替える制御（以下、照明ＯＮ／ＯＦＦ制御という）が可能である。これらＡＦ／ＭＦ切り替え制御、防振ＯＮ／ＯＦＦ制御および照明ＯＮ／ＯＦＦ制御は、制御部１４２が出力する制御情報の一例である。複数の制御情報は、それぞれ別々の登録指紋情報に対応する。
【００２７】
図４は、第１実施形態に係るカメラシステムの外観図である。カメラ本体２はカメラ側マウント２４とレンズ装置１のレンズ側マウント１８によりバヨネットで接続されている。また、カメラ本体２とレンズ装置１は、上述のとおり、カメラ側端子２３とレンズ側端子１９により通信可能に接続されており、制御信号のやり取りが可能となっている。レンズ装置１の接続された先には撮像素子２２としてのＣＭＯＳセンサが配置されている。
【００２８】
カメラ本体２には、使用者が右手でカメラ本体２を保持するためのカメラグリップ２５が設けられている。また、カメラグリップ２５の上部にはシャッタースイッチ２６が設けられている。画像取り込み方法については公知のものでよいため詳細は省略するが、シャッタースイッチ２６を押すことでカメラ側ＭＰＵにより設定されているカメラ本体に備わっている撮影条件に基づいて不図示のＣＭＯＳセンサにデータが取り込まれることで行われる。
【００２９】
カメラ本体２に備わっている撮影条件とはＩＳＯ感度、絞りやシャッター速度、ホワイトバランス等である。また、カメラ本体に備わっている撮影条件の切り替えはカメラ本体２に備わっている不図示の操作部で変更可能である。また、上記撮影条件の切り替えをそれぞれレンズ側の接触部１５により検出された指の種類によって変更できるようにしても良い。例えば、良く使用する条件を指紋情報と対応させ記憶しておき、指紋認証により前記条件に変更する。
【００３０】
図５は、第１実施形態に係る指紋情報に応じた制御を示すフローチャートである。まず、接触部１５は、指置き（接触）の検出を行う（Ｓ５０１）。指置きが検出されなければＳ５０１を繰り返す。指置きが検出されれば、カメラシステム１００は接触情報検出モードになる（Ｓ５０２）。次に、制御部１４２は、接触部１５において指紋認証を開始するための指紋認証開始操作がされたかどうかの判断を行う（Ｓ５０３）。
【００３１】
指紋認証開始操作は、所定の時間内における、接触部１５への指の１回の接触ではない所定の操作のことを言う。指紋認証開始操作は、例えば、複数回接触、指をスライドさせる、所定の時間以上接触させる、強い圧力で接触させる等の方法が考えられるが、特に前記の方法に限定はされない。また、指紋認証開始操作は、制御情報に対応する指と同じ指で行われても良い。
【００３２】
この、接触部１５において指紋認証開始操作がされたかどうかの情報を接触情報という。つまり、接触情報は、接触部１５に接触する回数、接触する方向、接触する時間、接触する位置、または接触する圧力などのいずれかを含みうる。制御部１４２は、接触部から接触情報を受け取った場合、指紋認証開始操作がされたと判断する。
【００３３】
Ｓ５０３において、指紋認証開始操作がされたと判断されなかった場合（Ｎｏ）、指紋認証を終了し機能は変更されない。Ｓ５０３において、指紋認証開始操作がされたと判断された場合（Ｙｅｓ）、制御部１４２は、接触部１５に指紋情報の出力を要求する（Ｓ５０４）。なお、Ｓ５０１において、指置きの検出と同時に指紋の検出も行い、この時点で指紋情報を受信しても良い。
【００３４】
そして、制御部１４２は、出力された指紋情報が登録されているかどうかの判断を行う（Ｓ５０５）。指紋が登録されていなかった場合（Ｎｏ）、機能変更を行わず制御を終える。指紋が登録されていた場合（Ｙｅｓ）、制御部１４２は、指紋情報に応じた制御情報を出力し、その制御を開始する（Ｓ５０６）。
【００３５】
例えば、あらかじめ人差し指にはＡＦのＯＮ／ＯＦＦ、中指は光学防振装置のＯＮ／ＯＦＦ、薬指には照明部１０のＯＮ／ＯＦＦの切り替え機能を持たせることをレンズマイコン１４に登録することができる。指紋認証での機能変更に関しては前記項目に限られず、カメラ側の設定の切りかえを割り当てるようにしても良い（ＦＮｏ．シャッタースピード、ＩＳＯ感度、ＡＦポイント等）。
【００３６】
このように、指紋認証を開始する場合には指紋認証開始操作のようにワンアクションを設けることで意図せずして接触部１５に触れてしまい、誤作動が発生することを防止することができる。本実施形態によれば、複数のセンサを構成する必要がなく、簡易な構成で誤作動を防止することができる。
【００３７】
なお、本実施形態において、接触部１５であるセンサは、レンズ装置１に設けたが、カメラ本体に設けても良い。また、本実施形態において、電子機器の一例としてカメラシステムを用いて説明したが、例えば機械的な動きよって駆動する電子機器であれば、他の電子機器でも良い。
【００３８】
（第２実施形態）
図６は、第２実施形態に係る指紋情報に応じた制御を示すフローチャートである。第１実施形態と同様の構成および工程は同符号で示し、説明は省略する。第２実施形態では、操作リング操作中に限り、指紋認証開始操作を設ける。
【００３９】
まず、接触部１５は、指置きの検出を行う（Ｓ５０１）。指置きが検出されなければＳ５０１を繰り返す。指置きが検出されれば、カメラシステム１００は、操作リング動作検出モードになる（Ｓ６０１）。次に、検出部１７が、操作リング１６が操作中であるか（回動しているか）否かを検出する（Ｓ６０２）。Ｓ６０２において、操作リング１６が操作中であると検出された場合（Ｙｅｓ）、指紋認証開始操作検出モードとなる（Ｓ５０２）。Ｓ６０２において、操作リング１６が操作中でない（回動していない）ことが検出された場合（Ｎｏ）、制御部１４２は、指紋認証開始操作を検出せずに、制御部１４２は、接触部１５に指紋情報の出力を要求する（Ｓ５０４）。
【００４０】
このように、操作リングの操作中に指紋認証を開始する場合には、指紋認証開始操作のようにワンアクションを設けることで操作リング１６の操作中に、手が意図せず接触部１５に接触し、誤作動が発生することを防止することができる。また、操作リング１６が操作中ではない場合等、接触部１５への意図しない指の接触が起きにくい状況では、指紋認証開始操作を行うことなく１回の指紋認証操作で機能を切り替えることができるので素早い機能切り替えが可能になる。
【００４１】
（第３実施形態）
図７は、第３実施形態に係る指紋情報に応じた制御を示すフローチャートである。第３実施形態では、シャッタースイッチ半押し中に限り、指紋認証開始操作を設ける。
【００４２】
まず、接触部１５は、指置きの検出を行う（Ｓ５０１）。指置きが検出されなければＳ５０１を繰り返す。指置きが検出されれば、カメラシステム１００は、シャッター半押し検出モードになる（Ｓ７０１）。次に、制御部１４２は、シャッタースイッチ２６が半押しされているか否かの判断を行う（Ｓ７０２）。なお、この判断は、カメラマイコン２１が行っても良い。
【００４３】
Ｓ７０２において、シャッタースイッチ２６が半押しされていると判断された場合（Ｙｅｓ）、指紋認証開始操作検出モードとなる（Ｓ５０２）。Ｓ７０２において、シャッタースイッチ２６が半押しされていないと判断された場合は（Ｎｏ）、指紋認証開始操作を検出せずに、制御部１４２は、接触部１５に指紋情報の出力を要求する。
【００４４】
このように、シャッタースイッチ２６半押し中に指紋認証を開始する場合には、指紋認証開始操作のようにワンアクションを設けることで、第２実施形態同様、誤作動発生の防止と素早い機能切替が可能となる。
【００４５】
（第４実施形態）
図８は、第４実施形態に係る指紋情報に応じた制御を示すフローチャートである。第４実施形態では、第２実施形態と第３実施形態とを組合わせ、操作リング操作中またはシャッタースイッチ半押し中に限り、指紋認証開始操作を設ける。
【００４６】
まず、接触部１５は、指置きの検出を行う（Ｓ５０１）。指置きが検出されなければＳ５０１を繰り返す。指置きが検出されれば、カメラシステム１００は、操作リング動作検出モードになる（Ｓ６０１）。次に、検出部１７が、操作リング１６が操作中であるか否かを検出する（Ｓ６０２）。
【００４７】
Ｓ６０２において、操作リング１６が操作中であると検出された場合（Ｙｅｓ）、指紋認証開始操作検出モードとなる（Ｓ５０２）。Ｓ６０２において、操作リング１６が操作中でないことが検出された場合（Ｎｏ）、カメラシステム１００は、シャッター半押し検出モードになる（Ｓ７０１）。次に、制御部１４２は、シャッタースイッチ２６が半押しされているか否かの判断を行う（Ｓ７０２）。なお、この判断は、第３実施形態と同様にカメラマイコン２１が行っても良い。
【００４８】
Ｓ７０２において、シャッタースイッチ２６が半押しされていると判断された場合（Ｙｅｓ）、指紋認証開始操作検出モードとなる（Ｓ５０２）。Ｓ７０２において、シャッタースイッチ２６が半押しされていないと判断された場合は（Ｎｏ）、指紋認証開始操作を検出せずに、指紋情報の出力を行う。
【００４９】
このように、操作リング操作中またはシャッタースイッチ２６半押し中のみに指紋認証を開始する場合には、指紋認証開始操作のようにワンアクションを設けることで、誤作動発生の防止と素早い機能切替が可能となる。
【００５０】
（その他の実施形態）
以上、本発明の実施の形態を説明してきたが、本発明はこれらの実施の形態に限定されず、その要旨の範囲内において様々な変更が可能である。
【００５１】
１００      カメラシステム
１          レンズ装置
１４        レンズマイコン
１４１      記憶部
１４２      制御部
１５        接触部
１６        操作リング
２          カメラ本体
【図１】
2019090950.tif 000003
【図２】
2019090950.tif 000004
【図３】
2019090950.tif 000005
【図４】
2019090950.tif 000006
【図５】
2019090950.tif 000007
【図６】
2019090950.tif 000008
【図７】
2019090950.tif 000009
【図８】
2019090950.tif 000010